(57)【要約】【課題】本発明は、一般家庭の電気掃除機に適合する隙間用吸引ノズルを形成し、吸引口に隣接する吸引力を緩めるための緩吸引孔を具備し、屈折管を設けることにより使い勝手の良い電気掃除機の吸引ノズルを提供する。【解決手段】吸引具の先端に開口する半円形状の吸引口に、前記吸引口に隣接する吸引力を緩めるための緩吸引孔を設け、前記緩吸引孔に吸引ノズル管を設け、前記吸引ノズル管に着脱回転可能な回転接続部を設けると共に、前記回転接続部に連設する任意に屈折した屈折管を設け、前記屈折管に握持部を設け、前記握持部に電気掃除機のホースに接続するホース連設部を設けたもので、電気掃除機の過大な負荷を避け、足腰に負担をかけないで容易な姿勢で狭い場所や高所等を集塵できるようにしたことを特徴とする。【選択図】  図１
2005144105.tif 000002
【特許請求の範囲】
【請求項１】
吸引具の先端に開口する半円形状の吸引口（１）に、前記吸引口（１）に隣接する緩吸引孔（２Ａ）（２Ｂ）を設け、前記緩吸引孔（２Ａ）（２Ｂ）に吸引ノズル管（３）を設け、前記吸引ノズル管（３）に着脱回転可能な回転接続部（４）を設けた電気掃除機の吸引ノズル。
【請求項２】
着脱回転可能な前記回転接続部（４）に連設する屈折管（５）を設け、前記屈折管（５）に握持部（６）を設け、前記握持部（６）に電気掃除機のホースに接続するホース連設部（７）を設けた請求項１記載の電気掃除機の吸引ノズル。
【発明の詳細な説明】
【技術分野】
【０００１】  本発明は、一般家庭で使用される電気掃除機の吸引具に関するもので、特に床面の狭い場所や高所等を掃除する電気掃除機のアタッチメントの隙間用吸引ノズルに関するものである。
【背景技術】
【０００２】  従来の電気掃除機のアタッチメントの隙間用吸引具は、筒状の先端部分のノズル管を斜めに切断した形状の吸引口であるため、吸引口全面の吸口部分が掃除面に接する構造であり、電気掃除機のアタッチメントとして着脱自在に設けられている。特に従来の隙間用吸引具は、吸引口全面を塞ぐ大きな埃や紙屑などを吸引した場合にノズル管の目詰まりや電気掃除機に過大な負荷がかかっていた。【０００３】  又、従来の吸引具でも、先端の吸引口にエアーポンプより噴出するノズルを設け掃除面に噴射し集塵するものや、吸引口に吸気通路と排気通路を備え排気開口のフィルターより放出させるものはあるが、従来の電気掃除機に適応する床面の狭い場所や高所等を掃除する隙間用吸引ノズルは提供されていない。
【特許文献１】  特開２００１−３２１３０５
【特許文献２】  特開２００２−１３６４５６
【発明が解決しようとする課題】
【０００４】  背景技術で述べたように上記従来の構成において、従来の電気掃除機の隙間用吸引ノズルは、ノズル管の目詰まりによる吸引力の低下や、吸引口全面を塞ぐ吸引の場合、電気掃除機のモーターや吸引ホースに過大な負荷がかかり耐久性が損なう場合があった。
【０００５】  本発明は、上記従来の課題を解決するもので、別部品を用いることなく、一般家庭の電気掃除機に適合する隙間用吸引ノズルであり、吸引口に隣接する吸引力を緩めるための緩吸引孔を具備し、任意に屈折した屈折管により、使い勝手の良い隙間用吸引ノズルを得ることを目的としている。
【課題を解決するための手段】
【０００６】  上記目的を達成するために本発明は、一般家庭で使用される電気掃除機の吸引具の先端に開口する半円形状の吸引口（１）に、前記吸引口（１）の左右に隣接する吸引力を緩めるための緩吸引孔（２Ａ）（２Ｂ）を設け、前記緩吸引孔（２Ａ）（２Ｂ）に吸引ノズル管（３）を設け、前記吸引ノズル管（３）に着脱回転可能な回転接続部（４）を設けると共に、前記回転接続部（４）に連設する任意に屈折した屈折管（５）を設け、前記屈折管（５）に握持部（６）を設け、前記握持部（６）に電気掃除機のホースに接続するホース連設部（７）を設けたもので、前記緩吸引孔（２Ａ）（２Ｂ）を備え、任意に屈折した前記屈折管（５）を設けたことにより、大きな埃や紙屑などによる目詰りによる電気掃除機の負荷を避け、足腰に負担をかけないで容易な姿勢で狭い床面の場所や高所等を集塵できるようにしたことを最も主要な特徴とする。
【発明の効果】
【０００７】  本発明の電気掃除機の吸引ノズルは、上記のとおり構成されているので、次に記載する効果を奏でる。
イ．本発明は、吸引口の先端が半円形状になっているので、床面や掃除面を傷つけない。
ロ．本発明は、吸引口の先端が半円形状になっているので、吸引ノズルの先端の掃除も簡便に可能である。
ハ．本発明は、吸引口の左右に隣接する吸引力を緩めるための緩吸引孔を設けたことにより、電気掃除機のモーターや吸引ホースに過大な負荷をかけない。
ニ．本発明は、着脱回転可能な前記回転接続部により、吸引口を水平や垂直にできるため集塵効果の利点が得られる。
ホ．本発明は、任意に屈折した屈折管を設けることにより、床面の狭い隙間や高所の集塵をする場合に、足腰に負担をかけないで、容易な姿勢で掃除することが可能である。
ヘ．本発明は、ホース連設部又は回転接続部を設けたことにより、既存の一般家庭の電気掃除機に掃除用のアタッチメントとして接続して使用できる。
ト．本発明は、吸引口全面を塞ぐ大きな埃や紙屑などを吸引した場合にノズル管の目詰まりが無く、構造が簡単でだれもが使用できる。
【発明を実施するための最良の形態】
【０００８】  以下本発明の実施するための最良の形態について説明する。
請求項１に記載した本発明は、一般家庭で使用される電気掃除機の吸引具の先端に開口する半円形状の吸引口（１）に、前記吸引口（１）の左右に隣接する吸引力を緩めるための緩吸引孔（２Ａ）（２Ｂ）を設け、前記緩吸引孔（２Ａ）（２Ｂ）に任意の長さの吸引ノズル管（３）を設け、前記吸引ノズル管（３）に着脱回転可能な回転接続部（４）を設けたもので、床面や掃除面を傷つけず、吸引ノズルの先端の掃除も簡便に可能で誤吸引や電気掃除機に過大な負荷をかけない電気掃除機の吸引ノズルとしているものである。【０００９】  請求項２に記載した本発明は、前記回転接続部（４）に連設する任意に屈折した屈折管（５）を設け、前記屈折管（５）に握持部（６）を設け、前記握持部（６）に電気掃除機のホースに接続するホース連設部（７）を設けたもので、狭い床面の隙間や高所の集塵が容易な姿勢で可能となり、既存の一般家庭の電気掃除機に掃除用のアタッチメントとして接続して使用できる電気掃除機の吸引ノズルとしているものである。
【実施例】
【００１０】  以下本発明の実施例について図面を参照に説明する。本発明の図１、図２は、請求項１に関するものである。図１は本発明を示す側面図であり、図２は本発明の内部を示す側面の断面図である。図１の回転接続部（４）は、直接電気掃除機のホースに接続することも可能であり、掃除する集塵の状況に応じて、吸引ノズル管（３）部分を握持し、前記回転接続部（４）を回転させ吸引口（１）を水平や垂直にして使用する。吸引力を緩めるための緩吸引孔（２Ａ）（２Ｂ）を有する半円形状の前記吸引口（１）は、高所から低所まで前記回転接続部（４）を回転させることなく使用可能になる。半円形状の前記吸引口（１）は、床面や掃除面を傷つけない構造になっており未使用の場合における前記吸引口（１）の汚も簡便に水洗いや布で拭くことも可能である。【００１２】  図１の半円形状の前記吸引口（１）に、前記吸引口（１）の左右に隣接する前記緩吸引孔（２Ａ）（２Ｂ）を設けたことは、前記吸引口（１）の一部が掃除面に接するもので、前記吸引口（１）全面を塞ぐ大きな埃や紙屑などを吸引しずらい構造になる。すなわち吸引ノズル管（３）の目詰まりや誤吸引等、電気掃除機に過大な負荷がかからない。【００１３】  図２は、本発明の電気掃除機の吸引ノズルが空洞状の形状を示し、電気掃除機の吸引により前記吸引口（１）に吸塵された埃や塵等が前記吸引ノズル管（３）から前記回転接続部（４）へ移動するものである。前記回転接続部（４）は請求項２記載の屈折管（５）に挿通される状態を示す断面図であり、着脱回転可能な構造を示すものである。【００１４】  本発明の図１、図２は、請求項２に関するものである。図１は本発明を示す側面図であり、図２は本発明の内部を示す側面の断面図である。図１の電気掃除機のホースに接続するホース連設部（７）も着脱回転可能であり、掃除する集塵の状況に応じて、前記ホース連設部（７）を回転させ、任意に屈折した屈折管（５）に設けた握持部（６）を握持し使用する。前記屈折管（５）により、狭い床面の隙間や高所の集塵が容易な姿勢で掃除することが可能になる。電気掃除機のホースに接続する前記ホース連設部（７）は、既存の一般家庭の電気掃除機に掃除用のアタッチメントとして接続して使用可能である。【００１５】  本発明の図３、図４は、請求項１に関するものである。図３は本発明の吸引口（１）部分を示す拡大斜視図である。図４は本発明の吸引口（１）部分の実施状態を示す拡大斜視図である。図３の半円形状の吸引口（１）の左右に隣接する吸引力を緩めるための緩吸引孔（２Ａ）及び、緩吸引孔（２Ｂ）は、左右対称の形状であり、半円形状の前記吸引口（１）と接合した開口部を構成し任意の長さの吸引ノズル管（３）を設けたものである。【００１６】  図３の半円形状の前記吸引口（１）は、床面や掃除面を傷つけない構造になっており、未使用の場合における前記吸引口（１）の汚も簡便に水洗いや布で拭くことも可能である。【００１７】  図４は、回転接続部（４）を回転させ半円形状の吸引口（１）を垂直にして使用する実施状態を示すもので、使用状況により吸引力を緩めるための緩吸引孔（２Ａ）が前記吸引口（１）の機能をはたし、前記吸引口（１）及び緩吸引孔（２Ｂ）が吸引���を緩めるための機能を有する。前記吸引口（１）及び前記緩吸引孔（２Ａ）（２Ｂ）合わせて吸引力を緩めるための構造になる。よって、半円形状の前記吸引口（１）全面及前記緩吸引孔（２Ａ）（２Ｂ）合わせた開口部分を塞ぐ大きな埃や紙屑などは吸引しずらい構造になる。すなわち吸引ノズル管（３）の目詰まりや誤吸引等、電気掃除機に過大な負荷がかからない。【００１８】  以上の実施例によれば、本発明は、吸引口（１）に隣接する吸引力を緩めるための緩吸引孔（２Ａ）（２Ｂ）を備えたことにより、電気掃除機の過大な負荷を避け、任意に屈折した屈折管（５）に設けた握持部（６）を握持し使用することにより、容易な姿勢で床面の狭い場所や高所等を集塵できる電気掃除機の吸引ノズルを実現するものである。
【産業上の利用可能性】
【００１９】  本発明は、ホース連設部又は回転接続部を設けたことにより、電気掃除機のアタッチメント部分である吸引ノズルを製造するだけで、既存の一般家庭の電気掃除機に接続して使用可能であり、構造が簡単でだれもが使用できるものである。
【図面の簡単な説明】
【００２０】
【図１】本発明を示す側面図である。
【図２】本発明の内部を示す側面の断面図である。
【図３】本発明の吸引口部分を示す拡大斜視図である。
【図４】本発明の吸引口部分の実施状態を示す拡大斜視図である。
【符号の説明】
【００２１】１  吸引口
２Ａ  緩吸引孔
２Ｂ  緩吸引孔
３  吸引ノズル管
４  回転接続部
５  屈折管
６  握持部
７  ホース連設部
【図１】
2005144105.tif 000003
【図２】
2005144105.tif 000004
【図３】
2005144105.tif 000005
【図４】
2005144105.tif 000006